(57)【要約】      （修正有）【課題】画像若しくは映像を映しつつ、乗りかご内を十分に明るくすることができるエレベーターの照明装置を提供する。【解決手段】エレベーター乗りかご１内の天井３に設置された照明装置を液晶ディスプレイ７とし、表示する内容を変更できるようにし、液晶ディスプレイ７の輝度、液晶ディスプレイ７の面積に応じて、乗りかご１内の必要な照度になるような液晶ディスプレイ７に表示する画像若しくは映像に占める昼白色及び／または白色の割合となる画像若しくは映像の内容を選定する。【選択図】図１
2016056013.tif 000002
【特許請求の範囲】
【請求項１】
エレベーター乗りかご内の天井に設置された照明装置を備えたエレベーターの照明装置において、前記照明装置を液晶ディスプレイとしたエレベーターの照明装置。
【請求項２】
請求項１において、前記液晶ディスプレイに表示する内容を変更できることを特徴とするエレベーターの照明装置。
【請求項３】
請求項１若しくは２において、記載のエレベーターの照明装置において、前記液晶ディスプレイの輝度、前記天井に設置された前記液晶ディスプレイの面積に応じて、前記乗りかご内の必要な照度になるような液晶ディスプレイに表示する画像若しくは映像に占める昼白色及び／または白色の割合となる画像若しくは映像の内容を選定したエレベーターの照明装置。
【発明の詳細な説明】
【技術分野】
【０００１】
本発明はエレベーターに係り、乗りかご照明装置に関する。
【背景技術】
【０００２】
従来、エレベーターの乗りかごの天井に取り付けられる照明装置として、有機ＥＬ（エレクトロルミネッセンス）用いることが特許文献１に示されている。この特許文献１には、パネル状に形成された有機ＥＬをエレベーターの乗りかごの天井に取り付けて光源とし、この有機ＥＬに単なる明りだけではなく、空などの開放的な風景、幻想的な景色や図柄、あるは広告といった画像、映像などを写し出すことが記載されている。
【先行技術文献】
【特許文献】
【０００３】
【特許文献１】特表２００７−５０５０２１号公報
【発明の概要】
【発明が解決しようとする課題】
【０００４】
この特許文献１に記載の照明装置では、画像や映像を写しつつ、乗りかご内に十分な光量を提供するためには、光源として高輝度の有機ＥＬを用いる必要があり、その場合、機器の劣化が大きく、寿命が短いといった問題がある。
【０００５】
本発明の目的は、画像若しくは映像を映しつつ、乗りかご内を十分に明るくすることができるエレベーターの照明装置を提供することにある。
【課題を解決するための手段】
【０００６】
上記目的は、エレベーター乗りかご内の天井に設置された照明装置を備えたエレベーターの照明装置において、前記照明装置を液晶ディスプレイとすることにより達成される。
【発明の効果】
【０００７】
本発明によれば、画像若しくは映像を映しつつ、乗りかご内を十分に明るくすることができるエレベーターの照明装置を提供することができる。
【図面の簡単な説明】
【０００８】
【図１】本発明の一実施形態に係るエレベーター乗りかご天井照明装置を配したエレベーターの乗りかご内斜視図。
【発明を実施するための形態】
【０００９】
以下、本発明の一実施形態を図１を用いて説明する。図１は、本発明の一実施形態に係るエレベーター乗りかご天井照明装置を配したエレベーターの乗りかご内斜視図である。
【００１０】
乗りかご１は、側板２および天井板３から構成されている。この天井板３の略全面にエレベーター乗りかご天井照明装置としての平板状の液晶ディスプレイ７を天井板３に取り付ける。液晶ディスプレイ７は、現在のところ、有機ＥＬよりも高寿命であり、光源及び照明として機能するだけでなく、画像や映像を映し出す。
【００１１】
従来のエレベーターの乗りかご照明装置は、乗りかご１を構成する天井板３から吊り下げられるように照明ケースが取り付けられ、この照明ケース内部に蛍光灯などの光源が収納されている。照明ケースの下面部には開口が設けられ、それを閉塞する透過性材料からなる照明板６を設けている。
【００１２】
このようにエレベーターの乗りかご内の天井に取り付けられた天井照明装置は、蛍光灯などの光源から出た光を照明板６で拡散させるようにしているだけでなく、エレベーターの乗りかごの天井に意匠性を持たせている。
【００１３】
しかし、エレベーターが設置されているビルなどのテナント変更や建築物のリニューアルなどの際、エレベーターの天井意匠の変更を要求されることがある。光源及び照明板は、比較的変更しやすいのではあるが、天井照明の色調変更や照明板の模様変更といった軽微なデザインの変更に留まる。大幅な意匠刷新が要求された場合、天井板、照明ケースを含めた大規模な更新が必要となる。天井板は、エレベーターの構造体であるかご枠に取り付けられているため、大規模な工事が伴い、それに伴う費用及び改造作業時間の確保、加えて乗りかご質量の増加による耐震強度補強を考慮しなければならなくなる。
【００１４】
このように乗りかご天井照明装置の意匠更新の際、既存の設置機器を更新する必要があり、それに伴う費用及び改造作業時間の確保や、乗りかご質量増加による影響があるために容易に乗りかごの天井意匠を変更することができなかった。
【００１５】
本実施の形態においては、天井照明装置として液晶ディスプレイを用いることで、別途蛍光灯などの光源及び照明板が不要となり、液晶ディスレイ７に表示させる画像である色調や模様、若しくは映像により、デザイン機能を有しつつかご内を十分に照明させることができる。
【００１６】
このような液晶ディスプレイの特性を生かし、乗りかごの天井リニューアルの要求があった場合、従来のような工事を行うことなく、予め準備した若しくはその都度作成する天井の模様を画像として、焼き付けを考慮しながら表示することで簡単に短期間で変更することができる。
【００１７】
しかも、液晶ディスプレイ７に表示させる色調、模様、映像は、時間や季節などにより自在に変化させることが可能であり、より自由度のある天井意匠を実現できる。
【００１８】
上記の実施形態では、１つの液晶ディスプレイ７にて構成されるが、乗りかご１の大きさや、設置する液晶ディスプレイ７のサイズによっては、複数配設することで表示面積を拡大させることも可能である。
【００１９】
なお、エレベーターの呼びが所定時間継続して発生しないとき、液晶ディスプレイ７の電源を遮断することで、焼き付け防止や省エネルギーとすることができる。具体的には、エレベーターの呼びが所定時間継続してない場合に呼びなし信号を継続して出力する呼び無し検出手段と、この検出信号が出力されている間、液晶ディスプレイ７の電源を遮断して表示消す手段とを備える。
【００２０】
ところで、液晶ディスプレイ７に表示させる画像や映像によっては乗りかご１内が暗くなることがある。ＪＩＳの「事務所の照度基準（ＪＩＳ  Ｚ９１１１０）」にエレベーターの照度基準が１５０ｌｕｘと定められている。この基準を液晶ディスプレイ７による照明においても満たす必要がある。
【００２１】
一般的にエレベーターの乗りかご内の天井高さは２．２５ｍであり、日本人女性の平均身長は１．５５ｍである。液晶ディスプレイ７の輝度（２５０〜３００ｃｄ／ｍ２）であり３００ｃｄ／ｍ２を採用する。従って、１．５５ｍの高さで１５０ｌｕｘを確保するためには、７３．５ｃｄあればよいこととなる。
【００２２】
また、一般的にエレベーターの乗りかごの天井面積は、１．１９ｍ２（1.4ｍ×0.85ｍ）〜２．４ｍ２（１．６ｍ×１．５ｍ）であり、ほぼ天井全面に液晶ディスプレイ７を設置した場合を考える。
【００２３】
狭い天井面積の乗りかごの場合、天井に設置された液晶ディスプレイ７の約２０.６％が明るければ前記の基準を達成することとなる。また、広い天井の場合、液晶ディスプレイ７の約１０．２％が明るければ前記の基準を満たすこととなる。
【００２４】
すなわち、液晶ディスプレイ７の明るい部分（昼光色、白色）が少なくとも１０％以上あれば、他の色も黒色でなければ少なくとも照明として光を出しているので前記の基準を満たす。このことから、画像や映像を、最低でも１０％が昼光色若しくは白色、または昼光色と白色の組合せとなる模様を選定する必要がある。
【００２５】
これでは、やや暗めなので、「防犯優良マンション標準基準」には、「エレベーターのかご内の照明設備は、床面において５０ルクス以上の平均水平面照度が確保されていること」と規定されており、これを基準に算出される必要な照度(輝度)は、２５３．１３ｃｄである。
【００２６】
狭い天井面積の乗りかごの場合、天井に設置された液晶ディスプレイ７の約７０．９％が明るければこの基準を満たすこととなる。一方、広い天井面積の乗りかごの場合、天井に設置された液晶ディスプレイ７の約３５．２％が明るければ上記基準を満足する。
【００２７】
本基準では、少なくとも天井に設置された液晶ディスプレイ７の少なくとも３５％以上が明るい部分（昼白色、白色）となるように、画像や映像を選定する必要がある。
【００２８】
以上のように、天井に設置された液晶ディスプレイ７の輝度、天井の広さ（液晶ディスプレイ７の面積）に応じて、乗りかご内の必要な照度になるような液晶ディスプレイ７に表示する(映し出す)画像若しくは映像に占める昼白色及び／または白色の割合となる画像若しくは映像のコンテンツ（内容）を選定することにより、乗りかご内のデザインの変更を容易にしつつ、必要な明るさを得ることができる。
【符号の説明】
【００２９】
１…乗りかご、２…側板、３…天井板、７…液晶ディスプレイ
【図１】
2016056013.tif 000003